(57)【要約】【課題】空気調和機用の排水ポンプにおいて、モータ部２０の振動による影響を低減するブッシュ１をブラケット３０Ａに対する取り付け構造を改良し、二色成型等を無くす。【解決手段】ポンプ本体部１０と上部カバー３０とによりモータ部２０を挟持して固定する。上部カバー３０の外周にブラケット３０Ａを形成する。ブラケット３０Ａの先端部にＣ型の保持部３０ｃを形成する。保持部３０ｃにブッシュ１の括れ部１３（被保持部）を嵌め込んで、ブラケット３０Ａの先端部にブッシュ１を保持する。ブッシュ１のネジ孔１４を介してネジＮによりユニット天板に固定する。上部カバー３０の上面に当接突起部２を設ける。当接突起部２の弾性脚座２２をユニット天板５０に当接させる。【選択図】図１
2018091231.tif 000002
【特許請求の範囲】
【請求項１】
駆動部の上方を覆う上部カバーを備え、上方に位置する取付対象部に対して締結部材により取り付けられる排水ポンプであって、
前記上部カバーと一体でかつ該上部カバーから突出したブラケットと、
前記ブラケットと別体でかつ該ブラケットに保持される弾性部材と、を備え、
前記弾性部材は、
前記取付対象部に当接する第１当接部と、
前記締結部材が当接する第２当接部と、
前記第１当接部と前記第２当接部との間にて前記ブラケットの先端部に保持される被保持部と、
前記第１当接部と前記第２当接部とに亘って前記締結部材を貫通させる貫通孔と、
を備えたことを特徴とする排水ポンプ。
【請求項２】
前記弾性部材の前記被保持部は、前記第１当接部と前記第２当接部よりも小径であることを特徴とする請求項１に記載の排水ポンプ。
【請求項３】
前記弾性部材の前記第１当接部の径は、前記第２当接部の径以上である
ことを特徴とする請求項１または２に記載の排水ポンプ。
【請求項４】
前記弾性部材の前記第１当接部は、径の寸法が当該第１当接部の高さ寸法より大きい全体円盤状であることを特徴とする請求項３に記載の排水ポンプ。
【請求項５】
前記弾性部材の前記第１当接部は、ボス部と、ボス部と同一径またはボス部より大径の締結面部をさらに備えることを特徴とする請求項３または４に記載の排水ポンプ。
【請求項６】
前記弾性部材の前記第２当接部は、ボス部と、ボス部と同一径またはボス部より小径の締結部材接触面部をさらに備え、前記締結部材接触面部の先端に前記締結部材が当接されることを特徴とする請求項１乃至５のいずれか一項に記載の排水ポンプ。
【請求項７】
前記第２当接部の前記締結部材接触面部は、前記被保持部から離れる方向に先細りとなるテーパ部を有することを特徴とする請求項６に記載の排水ポンプ。
【請求項８】
前記ブラケットは、その先端部に前記弾性部材の前記被保持部を保持する保持部を有し、
前記保持部は、前記被保持部の抜け止めが形成されていることを特徴とする請求項１乃至７のいずれか一項に記載の排水ポンプ。
【請求項９】
前記ブラケットの前記保持部は、前記被保持部を装着する装着部と入口部とを備え、前記入口部には、前記被保持部の径より狭い箇所を有することを特徴とする請求項８に記載の排水ポンプ。
【請求項１０】
前記ブラケットの基端部には、前記上部カバーの上面に連結される第１リブと、前記上部カバーの側面に連結される第２リブと、が設けられている
ことを特徴とする請求項１乃至９のいずれか一項に記載の排水ポンプ。
【請求項１１】
室内熱交換器、室外熱交換器、絞り装置及び圧縮機を含む冷媒回路を備えた空気調和機であって、
前記室内熱交換器が設けられた室内ユニット内に請求項１乃至１０のいずれか一項に記載の排水ポンプを備えたことを特徴とする空気調和機。
【発明の詳細な説明】
【技術分野】
【０００１】
本発明は、空気調和機のドレンパンに溜まった水を排水するための排水ポンプ、この排水ポンプを備えた空気調和機に関する。
【背景技術】
【０００２】
従来、空気調和機用の排水ポンプとして、例えば特開２０１３−１５０９７号公報（特許文献１）に開示されたものがある。この種の排水ポンプは、モータによりポンプ室のインペラを回転することで、ポンプ室下部の吸込み口からドレンパンの水を吸引し、ポンプ室側部の吐出し口から水を外部に排水するものである。また、排水ポンプは、モータ部の上部のケースに設けたユニット取付部（ブラケット）により空気調和機の室内機内部のユニット天板に対し固定される。
【０００３】
このため、モータから発生する振動が空気調和機の室内機に伝達して騒音を出し、静音性を悪化させるという問題がある。そこで、特許文献１のものは、ユニット天板に固定するユニット取付部に二色成型により、弾性部材を設けるようにしている。
【先行技術文献】
【特許文献】
【０００４】
【特許文献１】特開２０１３−１５０９７号公報
【発明の概要】
【発明が解決しようとする課題】
【０００５】
特許文献１のものは、ブラケット（ユニット取付部）に対して、弾性部材を二色成型により設けるようにしている。しかしながら、二色成型によると、特に、ブラケットと弾性部材とがそれぞれの材質の溶融温度の差が大きい場合、片方の材料が溶けてしまうという問題や、劣化を促進させてしまうという問題がある。
【０００６】
本発明は、モータ部等の駆動部に上部カバーを有するとともに、この上部カバーのブラケットで空気調和機のユニット天板に固定するようにした排水ポンプにおいて、二色成型による部材の劣化等を解消できる排水ポンプを提供することを課題とする。
【課題を解決するための手段】
【０００７】
請求項１の排水ポンプは、駆動部の上方を覆う上部カバーを備え、上方に位置する取付対象部に対して締結部材により取り付けられる排水ポンプであって、前記上部カバーと一体でかつ該上部カバーから突出したブラケットと、前記ブラケットと別体でかつ該ブラケットに保持される弾性部材と、を備え、前記弾性部材は、前記取付対象部に当接する第１当接部と、前記締結部材が当接する第２当接部と、前記第１当接部と前記第２当接部との間にて前記ブラケットの先端部に保持される被保持部と、前記第１当接部と前記第２当接部とに亘って前記締結部材を貫通させる貫通孔と、を備えたことを特徴とする。
【０００８】
請求項２の排水ポンプは、請求項１に記載の排水ポンプであって、前記弾性部材の前記被保持部は、前記第１当接部と前記第２当接部よりも小径であることを特徴とする。
【０００９】
請求項３の排水ポンプは、請求項１または２に記載の排水ポンプであって、前記弾性部材の前記第１当接部の径は、前記第２当接部の径以上であることを特徴とする。
【００１０】
請求項４の排水ポンプは、請求項３に記載の排水ポンプであって、前記弾性部材の前記第１当接部は、径の寸法が当該第１当接部の高さ寸法より大きい全体円盤状であることを特徴とする。
【００１１】
請求項５の排水ポンプは、請求項３または４に記載の排水ポンプであって、前記弾性部材の前記第１当接部は、ボス部と、ボス部と同一径またはボス部より大径の締結面部をさらに備えることを特徴とする。
【００１２】
請求項６の排水ポンプは、請求項１乃至５のいずれか一項に記載の排水ポンプであって、前記弾性部材の前記第２当接部は、ボス部と、ボス部と同一径またはボス部より小径の締結部材接触面部をさらに備え、前記締結部材接触面部の先端に前記締結部材が当接されることを特徴とする。
【００１３】
請求項７の排水ポンプは、請求項６に記載の排水ポンプであって、前記第２当接部の前記締結部材接触面部は、前記被保持部から離れる方向に先細りとなるテーパ部を有することを特徴とする。
【００１４】
請求項８の排水ポンプは、請求項１乃至７のいずれか一項に記載の排水ポンプであって、前記ブラケットは、その先端部に前記弾性部材の前記被保持部を保持する保持部を有し、前記保持部は、前記被保持部の抜け止めが形成されていることを特徴とする。
【００１５】
請求項９の排水ポンプは、請求項８に記載の排水ポンプであって、前記ブラケットの前記保持部は、前記被保持部を装着する装着部と入口部とを備え、前記入口部には、前記被保持部の径より狭い箇所を有することを特徴とする。
【００１６】
請求項１０の排水ポンプは、請求項１乃至９のいずれか一項に記載の排水ポンプであって、前記ブラケットの基端部には、前記上部カバーの上面に連結される第１リブと、前記上部カバーの側面に連結される第２リブと、が設けられていることを特徴とする。
【００１７】
請求項１１の空気調和機は、室内熱交換器、室外熱交換器、絞り装置及び圧縮機を含む冷媒回路を備えた空気調和機であって、前記室内熱交換器が設けられた室内ユニット内に請求項１乃至１０のいずれか一項に記載の排水ポンプを備えたことを特徴とする。
【発明の効果】
【００１８】
請求項１の排水ポンプによれば、別体の弾性部材をブラケットに保持することで、二色成型による部材の劣化等の問題を解消できる。
【００１９】
請求項２の排水ポンプによれば、請求項１の効果に加えて、弾性部材が軸方向に抜けることがなく、ブラケットにより弾性部材を確実に保持することができる。
【００２０】
請求項３の排水ポンプによれば、請求項１または２の効果に加えて、第１当接部の径は第２当接部の径以上であるので、排水ポンプの取付状態で、ネジ等の締結部材で締め付けてもこの第１当接部の締結面部の面圧が小さくて第１当接部が潰れにくい。したがって、所定の高さに取り付けることが可能となるとともに、耐久性を確保できる。
【００２１】
請求項４の排水ポンプによれば、請求項３の効果に加えて、弾性部材の第１当接部の径の寸法が高さ寸法より大きい全体円盤状であり、排水ポンプの取付状態で、この第１当接部がさらに潰れにくい。
【００２２】
請求項５の排水ポンプによれば、請求項３または４の効果に加えて、弾性部材の前記第１当接部は、ボス部と、ボス部と同一径またはボス部より大径の締結面部により、排水ポンプの取付状態で、この第１当接部がさらに潰れにくい。
【００２３】
請求項６の排水ポンプによれば、請求項１乃至５のいずれか一項の効果に加えて、排水ポンプの取付状態で、ネジ等の締結部材が第２当接部のボス部より小径の締結部材接触面部に当接し、この締結部材接触面部が潰されることにより、第２当接部のブラケットに対する面圧が大きくなり、取付強度が向上する。
【００２４】
請求項７の排水ポンプによれば、請求項６の効果に加えて、排水ポンプの取付状態で、ネジ等の締結部材が第２当接部のテーパ部に当接し、このテーパ部が潰されることにより、第２当接部のブラケットに対する面圧が大きくなり、取付強度が向上する。
【００２５】
請求項８の排水ポンプによれば、請求項１乃至７のいずれか一項の効果に加えて、ブラケットの先端部の抜け止めにより、弾性部材がブラケットから抜け難くなる。
【００２６】
請求項９の排水ポンプによれば、請求項８の効果に加えて、ブラケットの保持部に対して、入口部から弾性部材の被保持部を装着部に圧入するだけで、弾性部材をブラケットに容易に保持させることができる。
【００２７】
請求項１０の排水ポンプによれば、ブラケットには第１リブと第２リブとが設けられているので、ブラケットの強度を確保できる。
【００２８】
請求項１１の空気調和機によれば、請求項１乃至１０のいずれか一項と同様な効果が得られる。
【図面の簡単な説明】
【００２９】
【図１】本発明の実施形態の排水ポンプの斜視図である。
【図２】実施形態の排水ポンプの側面図である。
【図３】実施形態における弾性部材としてのブッシュを示す図である。
【図４】実施形態におけるブラケットを示す図である。
【図５】実施形態における当接突起部とブッシュとの高さを説明する図である。
【図６】実施形態の変形例１の排水ポンプの斜視図である。
【図７】実施形態の変形例１の排水ポンプの側面図である。
【図８】実施形態の変形例２の排水ポンプの斜視図である。
【図９】実施形態の変形例２の排水ポンプの側面図である。
【図１０】本発明の一実施形態に係る空気調和機の概略構成を示す図である。
【発明を実施するための形態】
【００３０】
次に、本発明の排水ポンプの実施形態を図面を参照して説明する。図１は実施形態の排水ポンプの斜視図、図２は同排水ポンプの側面図である。
【００３１】
この排水ポンプは、ポンプ部本体１０、ＤＣブラシレスモータ等からなる「駆動部」としてのモータ部２０と、上部カバー３０とを備えている。ポンプ部本体１０は薄型円筒形のポンプ室ケース１０Ａと円柱形状の蓋ケース１０Ｂとを有している。ポンプ室ケース１０Ａには、空気調和機のドレンパン４０内に配置される吸込み口１０Ａ１と、図示しない排出管が接続される吐出し口１０Ａ２とが形成されている。また、ポンプ室ケース１０Ａの外周の２箇所には嵌合部１０Ａ３形成され、この嵌合部１０Ａ３を蓋ケース１０Ｂの下端部にスナップフィットすることによりポンプ室ケース１０Ａも蓋ケース１０Ｂが固定されている。また、蓋ケース１０Ｂの外周の上部２箇所には取付けアーム１０Ｂ１が形成されている。なお、ポンプ室ケース１０Ａ内には図示しないインペラが配設されている。
【００３２】
モータ部２０は、回路基板やステータを内蔵して樹脂により一体成形された樹脂モールド部２０１を有している。上部カバー３０は薄型で円形蓋状の形状をしており、その外周にはフック３０１が形成されている。そして、モータ部２０の樹脂モールド部２０１に上部カバー３０が嵌合され、上部カバー３０のフック３０１を蓋ケース１０Ｂの取付けアーム１０Ｂ１に係止することにより、モータ部２０と上部カバー３０が蓋ケース１０Ｂに取り付け固定されている。なお、モータ部２０の駆動軸（出力軸）は蓋ケース１０Ｂ内を通してポンプ室ケース１０Ａ内まで延設され、その端部はポンプ室ケース１０Ａ内のインペラに連結されている。そして、モータ部２０によりインペラを回転することで吸込み口１０Ａ１からドレンパン４０の水を吸引し、吐出し口１０Ａ２から水を外部に排水する。
【００３３】
上部カバー３０の上端の外周寄りで１８０°離間した２箇所には、この上部カバー３０と一体になったブラケット３０Ａ，３０Ａが形成されている。このブラケット３０Ａの上部カバー３０側の基端部には、上部カバー３０の上面に連結される第１リブ３０ａと、上部カバー３０の側面に連結される第２リブ３０ｂとが設けられている。そして、ブラケット３０Ａの先端部には「弾性部材」としてのゴム製のブッシュ１が嵌合されている。
【００３４】
図３に示すように、ブッシュ１は、上端に第１当接部１１を有するとともに下端に第２当接部１２を有している。また、第１当接部１１と第２当接部１２との中間部に「被保持部」としての括れ部１３を有している。また、ブッシュ１の中心には、第１当接部１１から第２当接部１２に亘って貫通する「貫通孔」としてのネジ孔１４が形成されている。
【００３５】
第１当接部１１は円盤状の締結面部１１ａと円柱状のボス部１１ｂとからなる。また、第２当接部１２は、「締結部材接触面部」として、括れ部１３から離れる方向に先細りとなる円錐台状のテーパ部１２ａと、円柱状のボス部１２ｂとからなる。さらに、括れ部１３は、第１当接部１１及び第２当接部１２より小径である。第１当接部１１の締結面部１１ａの径の寸法が高さ寸法（軸Ｌ方向の長さ）より大きくなっている。この径の寸法は高さ寸法の２倍以上がよい。
【００３６】
図４に示すように、ブラケット３０Ａの先端部には、外側に開口した入口部３０ｅとその奥に括れ部１３（被保持部）を装着する装着部３０ｄを備えたＣ型の保持部３０ｃが形成されており、入口部３０ｅの開口幅は、括れ部１３（被保持部）の外径よりも小さくなっており、ブッシュ１の抜け止めの機能を備えている。そして、この保持部３０ｃにブッシュ１の括れ部１３を嵌め込むことにより、ブッシュ１がブラケット３０Ａに保持されている。なお、ここではＣ型を例示したが、入口部に被保持部の外径より狭い抜け止め箇所のあるものであれば良く、Ｃ型に限定されるものではない。
【００３７】
上部カバー３０の上面には、２つのブラケット３０Ａから９０°離間した２箇所に当接突起部２，２が設けられている。この当接突起部２，２は、上部カバー３０と一体になったボス部２１と、このボス部２１の上端に設けられボス部２１と別体の弾性脚座２２とで構成されている。弾性脚座２２はゴム製等であり、図５に示すように、この弾性脚座２２の上端面の高さは、自然状態（非取付時）で、ブッシュ１（第１当接部１１）の上面より高くなっている。なお、弾性脚座２２とブッシュ１とは同一の高さでもよい。
【００３８】
以上の構成により、当該排水ポンプを室内ユニットに取り付けるとき、ブッシュ１の第１当接部１１の締結面部１１ａがユニット天板５０に当接される。また、当接突起部２，２の弾性脚座２２がユニット天板５０に当接される。そして、排水ポンプは、締結面部１１ａと弾性脚座２２とをユニット天板５０に当接させた状態で、「締結部材」としてのネジＮをネジ孔１４を貫通させてネジ止めすることにより、ユニット天板５０に固定される。前記図５に示すように、自然状態（非取付時）では弾性脚座２２の上端面の高さは第１当接部１１の上面より高くなっているが、上記のようにユニット天板５０に固定した状態では、弾性脚座２２の弾性変形により、この弾性脚座２２の上端面の高さと第１当接部１１の上面の高さは同一となる。
【００３９】
以上のように、実施形態の排水ポンプは、モータ部２０の上方を覆う上部カバー３０を備え、上方に位置するユニット天板５０に対してネジＮにより取り付けられる。また、上部カバー３０と一体でかつ上部カバー３０から突出したブラケット３０Ａと、ブラケット３０Ａと別体でかつブラケット３０Ａに保持されるブッシュ１と、を備えている。そして、ブッシュ１は、ユニット天板５０に当接する第１当接部１１と、ネジＮが当接する第２当接部１２と、第１当接部１１と第２当接部１２との間にてブラケット３０Ａの先端部に保持される括れ部１３と、第１当接部１１と第２当接部１２とに亘ってネジＮを貫通させるネジ孔１４と、を備えている。
【００４０】
このように、排水ポンプは、弾性部材であるブッシュ１を介してユニット天板５０に固定されるので、モータ部２０の振動の伝達を低減して防振効果が得られる。そして、ブッシュ１がブラケット３０Ａとは別体であり、このブッシュ１がブラケット３０に保持される構造になっているので、例えば二色成型等による前述の問題も生じない。また、ブッシュ１の括れ部１３が第１当接部１１及び第２当接部１２より小径であるので、ブッシュ１が軸方向に抜けることがなく、保持力を確保することができる。また、第１当接部１１の径の寸法が大きいので、ネジＮで締め付けても締結面部１１ａの面圧が小さく、第１当接部１１が潰れにくい。したがって、所定の高さに取り付けることが可能となる。これにより、ドレンパンの内底面から、排水ポンプの吸込み口１０Ａ１の開口面の高さが一定に保持され、排水ポンプの能力が確保されるとともに、耐久性を確保できる。
【００４１】
また、排水ポンプ１００のユニット天板５０への取付状態で、ネジＮのネジ頭が第２当接部１２のテーパ部１２ａに当接し、このテーパ部１２ａが潰されることにより、第２当接部１２のブラケット３０Ａに対する面圧が大きくなり、取付強度が向上する。また、ブッシュ１の括れ部１３がブラケット３０ＡのＣ型の保持部３０ｃで保持されるので、横方向に抜けにくく、保持力を確保することができる。また、ブラケット３０Ａには第１リブ３０ａと第２リブ３０ｂとが設けられているので、このブラケット３０Ａの強度を確保できる。
【００４２】
また、この実施形態では、ブラケット３０Ａと当接突起部２は最低でも１つずつでもよく、このブラケット３０Ａ及び当接突起部２によってユニット天板５０に取り付けられるので、設置工数や、部材数量が少ない場合でも、水平出しが可能となる。また、当接突起部２は一つでもよく、ブラケット３０Ａ及び当接突起部２が合わせて３箇所になるので、例えばブラケット３０Ａが最大２箇所となり、設置工数や部品数量が少なくてよい。
【００４３】
また、当接突起部２の上端部を、ブラケット３０Ａ側の締結面部１１ａのよりも高い位置に設けるられているので、当接突起部２をユニット天板５０に押しつけて、確実に固定することができる。また、当接突起部２が上部カバー３０の上面の範囲内に設けられているので、水平投影面積が小さくなり、設置場所の制約を低減することができる。
【００４４】
図６は実施形態の変形例１の排水ポンプの斜視図、図７は変形例１の排水ポンプの側面図である。なお、以下の変形例において、前記実施形態と同様な要素には図１乃至図５と同符号を付記して重複する説明は適宜省略する。
【００４５】
この変形例１では、実施形態における２箇所の当接突起部２，２に代えて、上部カバー３０に円弧状の当接突起部３を形成したものである。この当接突起部３は、上部カバー３０と一体になった横長のボス部３１と、このボス部３１の上端に設けられボス部２１と別体の弾性脚座３２とで構成されている。弾性脚座３２はゴム製等であり、実施形態と同様に、弾性脚座３２の上端面の高さは、自然状態（非取付時）で、ブッシュ１（第１当接部１１）の上面より高くなっている。この変形例１でも実施形態と同様な効果が得られる。
【００４６】
図８は実施形態の変形例２の排水ポンプの斜視図、図９は変形例２の排水ポンプの側面図である。この変形例２では、実施形態における２箇所の当接突起部２，２を無くし、２つのブラケット３０Ａ，３０Ａと、これらの先端部に保持されたブッシュ１，１とにより、排水ポンプをユニット天板５０に取付固定するものである。この変形例２でも、ブッシュ１による実施形態と同様な効果がえられる。この変形例２のように、ブラケット３０Ａとブッシュ１のみとした場合、このブラケット３０Ａとブッシュ１の組みを、上部ケース３０の周囲に３組設けるようにしてもよい。
【００４７】
以下に、本発明の一実施形態に係る空気調和機について、図１０を参照して説明する。図１０は本発明の一実施形態に係る空気調和機の概略構成を示す図である。この空気調和機は、例えば、家屋や商業施設などに設けられるエアコン等として用いられる。
【００４８】
この空気調和機は、室内熱交換器１１０と、室外熱交換器１２０と、絞り装置１３０と、圧縮機１４０と、流路切換弁１５０とを含む冷凍サイクルを備えている。室内熱交換器１１０は室内ユニット２００内に設けられ、室外熱交換器１２０と、絞り装置１３０と、圧縮機１４０と、流路切換弁１５０は、室外ユニット３００内に設けられている。
【００４９】
空気調和機の冷凍サイクルの流路は流路切換弁１５０により「冷房モード」および「暖房モード」の２通りの流路に切換えられる。冷房モードでは、図１０に実線の矢印で示すように、圧縮機１４０で圧縮された冷媒は流路切換弁１５０から室外熱交換器１２０に流入され、絞り装置１３０に流入される。そして、この絞り装置１３０で冷媒が膨張され、室内熱交換器１１０に流入される。この室内熱交換器１１０に流入された冷媒は、流路切換弁１５０を介して圧縮機１４０に流入される。一方、暖房モードでは、図１０に破線の矢印で示すように、圧縮機１４０で圧縮された冷媒は流路切換弁１５０から室内熱交換器１１０に流入され、絞り装置１３０に流入される。そして、この絞り装置１３０で冷媒が膨張され、室外熱交換器１２０、流路切換弁１５０、圧縮機１４０の順に循環される。
【００５０】
冷房モードでは、室外熱交換器１２０が凝縮器として機能し、室内熱交換器１１０が蒸発器として機能し、室内の冷房がなされる。また、暖房モードでは、室外熱交換器１２０が蒸発器として機能し、室内熱交換器１１０が凝縮器として機能し、室内の暖房がなされる。
【００５１】
室内ユニット２００は、室内熱交換器１１０の下方にドレンパン４０を備えるとともに、前記実施形態、変形例１及び変形例２の排水ポンプ１００が天板５０に取り付けられ、この排水ポンプ１００を制御する制御装置２１０を備えている。排水ポンプ１００の吸込み管部１０Ａ１はドレンパン４０内に配置され、インペラの回転により、吸込み管部１０Ａ１からドレンパン４０に溜まったドレン水を吸引し、吸引したドレン水を吐出し口１０Ａ２から吐出する。この吐出し口１０Ａ２には排出管が接続されており、室内ユニット２００（空気調和機）から離れた位置に排水される。
【００５２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００５３】
１      ブッシュ（弾性部材）
１１    第１当接部
１１ａ  締結面部
１１ｂ  ボス部
１２    第２当接部
１２ａ  テーパ部（締結部材接触面部）
１２ｂ  ボス部
１３    括れ部（被保持部）
１４    ネジ孔（貫通孔）
１０    ポンプ部本体
２０    モータ部（駆動部）
３０    上部カバー
３０Ａ  ブラケット
３０ａ  第１リブ
３０ｂ  第２リブ
３０ｃ  保持部
３０ｄ  装着部
３０ｅ  入口部
５０    ユニット天板
２      当接突起部
２１    ボス部
２２    弾性脚座
３      当接突起部
３１    ボス部
３２    弾性脚座
【図１】
2018091231.tif 000003
【図２】
2018091231.tif 000004
【図３】
2018091231.tif 000005
【図４】
2018091231.tif 000006
【図５】
2018091231.tif 000007
【図６】
2018091231.tif 000008
【図７】
2018091231.tif 000009
【図８】
2018091231.tif 000010
【図９】
2018091231.tif 000011
【図１０】
2018091231.tif 000012